(57)【要約】【課題】  カッターユニットでロール紙を切断することにより発生する紙粉を良好に回収する。【解決手段】  カッターユニットが前記ロール紙を切断するとき発生する紙粉を回収する紙粉回収手段５００を備える。紙粉回収装置５００は、固定刃１０３に隣接して配置される紙粉回収ノズル５０１と、紙粉を吸引する紙粉吸引器５０３と、紙粉回収ノズル５０１と紙粉吸引器５０３とを連結する紙粉移送パイプ５０２とを備え、カッターユニット１０１がロール紙を切断している間だけ運転される。【選択図】        図５
2006256779.tif 000002
【特許請求の範囲】
【請求項１】
ロール給紙手段から送り出されたロール紙を切断するカッターユニットを備えてなるロール紙切断装置において、
前記カッターユニットが前記ロール紙を切断するとき発生する紙粉を回収する紙粉回収手段を備えてなることを特徴とするロール紙切断装置。
【請求項２】
前記カッターユニットは、固定刃と移動刃とを備えてなり、前記紙粉回収手段は、カッターユニットの固定刃に隣接して配置され、ロール紙の最大通紙幅に対応する寸法を備えることを特徴とする請求項１のロール紙切断装置。
【請求項３】
前記紙粉回収手段は、前記カッターユニットと一体として構成されていることを特徴とする請求項１または２のいずれかのロール給紙装置。
【請求項４】
前記紙粉回収手段は、前記カッターユニットに着脱自在であることを特徴とする請求項１ないし３のいずれかのロール紙切断装置。
【請求項５】
前記紙粉回収手段は、回収した紙粉を吸引する紙粉吸引手段を有していることを特徴とする請求項１ないし４のいずれかのロール紙切断装置。
【請求項６】
前記紙粉吸引手段は、カッターユニットがロール紙を切断している期間だけに吸引動作を行うことを特徴とする請求項５に記載のロール給紙装置。
【請求項７】
請求項１ないし６のいずれかのロール紙切断装置を備えたことを特徴とするロール給紙装置。
【請求項８】
請求項７のロール給紙装置をそなえたことを特徴とする画像形成装置。
【発明の詳細な説明】
【技術分野】
【０００１】
本発明は複写機、プリンター、ファクシミリなどの画像形成装置に用いられるロール給紙装置、ロール紙切断装置に関する。
【背景技術】
【０００２】
画像形成装置として、所定の搬送方向に搬送されている記録紙などの記録媒体にインクを吐出して画像を形成するインクジェット方式画像形成装置や、トナーを用いて画像を形成する電子写真方式画像形成装置が知られている。これらの画像形成装置のなかには、ロール状に巻かれた長尺の記録媒体（ロール紙）を所定の搬送方向に搬送してこのロール紙に画像を形成するタイプのものがある。
【０００３】
このタイプの画像形成装置には、一般に、上記の搬送方向に直交する方向に走行しながら記録媒体を切断するロール紙切断装置が組み込まれている。この切断装置は、記録媒体に接触してこの記録媒体を切断するカッタを有しており、このカッタによって記録媒体が所定の大きさになるように切断される。
【０００４】
このようなロール紙を使用した画像形成装置として、特許文献1に記載のものがある。これは、感光体の下方に、一対のレジストローラ、レジストセンサ、中間センサ、一対の直前搬送ローラなどをそなえたシート材搬送装置を設け、駆動ローラと従動ローラとからなる一対の直前搬送ローラの駆動ローラが、トルクリミッタを介して支持されるものである。
【０００５】
また、このようなロール紙切断装置にあっては、カッタでロール紙を切断する際には紙粉や切りかすが発生することがよくある。このような紙粉等は、ロール紙に付着したりすることがある。その場合、画像の低下を招くことになる。
【０００６】
このような紙粉等を取り除く方法として特許文献２には、搬送ローラなどにブラシを押圧することにより、ローラに付着した紙粉を除去するものが記載されている。即ち、特許文献２の技術は、軸の長手方向両端部それぞれにはコロが固定されてなり、紙粉や紙の切り屑を吸着する吸着部材をロール紙を押える弾性体として構成し、切断装置のカッタでロール紙を切断する際は、前記コロと前記吸着部材で被切断部の近傍を押えるものである。
【０００７】
【特許文献１】特開２００３−３１２８８７号公報
【特許文献２】特開２００２−７２５９４号公報
【発明の開示】
【発明が解決しようとする課題】
【０００８】
しかし、上記従来の技術では、ロール紙に付着した紙粉は吸着部材で吸着するだけであるため、紙粉が充分に除去できないことがあり、この場合にはロール紙に紙粉が付着した状態で、画像形成装置部へ搬送されてしまうという問題があった。
【０００９】
そこで本発明は、カッターユニットでロール紙を切断することにより発生する紙粉を良好に回収することができるロール紙切断装置、ロール紙供給装置、画像形成装置を提供することを目的とする。
【課題を解決するための手段】
【００１０】
請求項１の発明は、ロール給紙手段から送り出されたロール紙を切断するカッターユニットを備えてなるロール紙切断装置において、前記カッターユニットが前記ロール紙を切断するとき発生する紙粉を回収する紙粉回収手段を備えてなるロール紙切断装置である。
【００１１】
請求項２の発明は、請求項１のロール紙切断装置において、前記カッターユニットは、固定刃と移動刃とを備えてなり、前記紙粉回収手段は、カッターユニットの固定刃に隣接して配置され、ロール紙の最大通紙幅に対応する寸法を備えることを特徴とする。
【００１２】
請求項３の発明は、請求項１または２のロール紙切断装置において、前記紙粉回収手段は、前記カッターユニットと一体として構成されていることを特徴とする。
【００１３】
請求項４の発明は、請求項１ないし３のロール紙切断装置において、前記紙粉回収手段は、前記カッターユニットに着脱自在であることを特徴とする。
【００１４】
請求項５の発明は、請求項１ないし４のいずれかのロール紙切断装置において、前記紙粉回収手段は、回収した紙粉を吸引する紙粉吸引手段を有していることを特徴とする。
【００１５】
請求項６の発明は、請求項５に記載のロール紙切断装置において、前記紙粉吸引手段は、カッターユニットがロール紙を切断している期間だけに吸引動作を行うことを特徴とする。
【００１６】
請求項７の発明は、請求項１ないし６のいずれかのロール紙切断装置を備えたことを特徴とするロール紙供給装置である。
【００１７】
請求項８の発明は、請求項７のロール給紙装置を備えたことを特徴とする画像形成装置である。
【発明の効果】
【００１８】
本発明によれば、カッターユニットでロール紙を切断することにより発生する紙粉を良好に回収することができるでき、ひいては良好な画像形成をおこなうことができる。
【発明を実施するための最良の形態】
【００１９】
以下本発明を実施するための最良の形態を、図に示す実施例を参照して説明する。
【実施例】
【００２０】
以下本発明に係るロール紙切断装置、ロール紙供給装置、画像形成装置の実施例を図面に基づいて説明する。図１は実施例に係る画像形成装置を示す側面図、図２は図1に示した画像形成装置に使用されるロール紙切断装置を示す側面図、図３は図1に示した画像形成装置に使用されるロール紙切断装置を示す側面図である。
【００２１】
本例において、画像形成装置１０は、２つのロール紙２１，２２を収納し、ロール紙切断装置１００を備えたロール紙供給装置２０と、原稿読取装置３０と、画像形成装置部４０と、定着ユニット５０と、排紙ユニット６０とを備える。
【００２２】
本例では、ロール紙供給装置２０には、給紙ローラ対２３が設けられ、ロール紙２１，２２からの記録紙は、ロール紙切断装置１００へと搬送されカットされ所定長さの記録紙とされる。本例では、画像形成装置部４０は電子写真式のものであり前記記録紙にトナー画像を形成する。また定着ユニット５０はトナー画像が形成された記録紙を熱定着し、６０は定着された記録紙を排紙部７０に排紙する。ロール紙切断装置１００には切断刃を備えたカッターユニット１０１とカットするロール紙の長さを測定する測長センサ１０２とを備えている。
【００２３】
また、本例では、ロール紙切断装置１００は、図３に示すように、カッターユニット１０１には、固定刃１０３、移動刃１０４を備える他、紙粉回収手段である紙粉回収容器２００を備える。さらに、ロール紙切断装置１００はカッターユニット１０１と測長センサ１０２との間に駆動ローラ１０５，１０６を備えている。
【００２４】
本例では、紙粉回収容器２００は、ボルト２０１でカッターユニット１０１本体に取り付けられる箱上の部材であり、その開口端部がカッターユニット１０１の固定刃１０３に隣接して配置され、ロール紙の最大通紙幅に対応する寸法を備える。
【００２５】
本例では、ロール紙供給装置２０では原稿読取装置３０で読み取られた原稿Ｄの、長さ、又は設定された長さを受けて、指定ロール給紙段の給紙ローラ対２３により、ロール紙２１、２２の一方の例えばロール紙２１は、例えば６０ｍｍ／ｓの速さでロール紙切断装置１００にむけ搬送される。搬送されたロール紙２１，２２は、カッターユニット１０１に配置された測長センサ１０２により長さが測定され、指定の長さまで送られ、カッターユニット１０１で切断される。切断直前に給紙ローラ対２３はその速度を１２０mm／ｓにまで増速し、ロール紙２１は５０ｍｍのたるみを作り、切断される。
【００２６】
カッターユニット１０１でロール紙２１切断する際に発生した紙粉はカッターユニット１０１内の紙粉回収容器２００内に落下して回収される。従って本例によれば、発生した紙粉をロール紙の紙幅にわたって効率良く回収することができる。
【００２７】
そして、切断されたロール紙は、画像形成装置部４０で画像形成され、定着ユニット５０で定着され、排紙ユニット６０を経て排紙部７０に排出される，
【００２８】
図３は、第２の実施例にかかる画像形成装置に使用されるロール紙切断装置を示す側面図である。本例では、紙粉回収装置としてカッターユニット１０１本体と一体に形成された紙粉回収容器３００を備えている。その他の構成は第１の実施例と同一であるので、同一の部分には同一の符号を付してそれらの詳細な説明は省略する。本例によれば、簡単な構成で紙粉を効率よく回収できる。
【００２９】
図４は、第３の実施例に係るロール紙切断装置を示す側面図である。本例では、紙粉回収装置としてカッターユニット１０１本体に磁石４０１で固定された紙粉回収容器４００を備えている。その他の構成は第１の実施例と同一であるので、同一の部分には同一の符号を付してそれらの詳細な説明は省略する。本例によれば、紙粉を効率よく回収できる他、紙粉回収容器４００を容易に着脱することができる。
【００３０】
図５は第４の実施例に係るロール紙切断装置を示す断面図、図６は図５に示したロール切断装置の紙粉回収器を示す平面図である。本例では紙粉回収装置５００として、固定刃１０３に隣接して配置される紙粉回収ノズル５０１と、紙粉を吸引する紙粉吸引器５０３と、紙粉回収ノズル５０１と紙粉吸引器５０３とを連結する紙粉移送パイプ５０２とを備える。
【００３１】
また、紙粉回収装置５００は、図５及び図６に示すように、紙粉回収ノズル５０１は紙幅より広く広がり、固定刃１０３に隣接して設けられ、中空構造に構成されている。また、紙粉吸引器５０３は電動ファン５０３とフィルタ部５０４とで構成されている。
【００３２】
また、本例では、５０３は制御装置に接続され、カッターユニット１０１がロール紙を切断している間だけ運転される。このため、紙粉回収装置５００はロール紙の搬送を妨げないで、発生した紙粉を効率良く回収することができる。また、紙粉回収装置５００はロール紙の交換やジャム処理時は運転されないのでなどに紙粉が飛散することを防止できる。
【図面の簡単な説明】
【００３３】
【図１】実施例に係る画像形成装置を示す側面図である。
【図２】図1に示した画像形成装置に使用されるロール紙切断装置を示す側面図である。
【図３】第２の実施例にかかる画像形成装置に使用されるロール紙切断装置を示す側面図である。
【図４】第３の実施例に係るロール紙切断装置を示す側面図である。
【図５】第４の実施例に係るロール紙切断装置を示す断面図である。
【図６】図５に示したロール切断装置の紙粉回収器を示す平面図である
【符号の説明】
【００３４】
１０・・・画像形成装置
２０・・・ロール紙供給装置
２１，２２・・・ロール紙
２３・・・給紙ローラ対
３０・・・原稿読取装置
４０・・・画像形成装置部
５０・・・定着ユニット
６０・・・排紙ユニット
７０・・・排紙部
１００・・・ロール紙切断装置
１０１・・・カッターユニット
１０２・・・測長センサ
１０３・・・固定刃
１０４・・・移動刃
１０５，１０６・・・駆動ローラ
２００・・・紙粉回収容器
２０１・・・ボルト
３００・・・紙粉回収容器
４００・・・紙粉回収容器
４０１・・・磁石
５００・・・紙粉回収装置
５０１・・・紙粉回収ノズル
５０２・・・紙粉移送パイプ
５０３・・・紙粉吸引器
５０４・・・電動ファン
５０５・・・フィルタ部
【図１】
2006256779.tif 000003
【図２】
2006256779.tif 000004
【図３】
2006256779.tif 000005
【図４】
2006256779.tif 000006
【図５】
2006256779.tif 000007
【図６】
2006256779.tif 000008